(57)【特許請求の範囲】
【請求項１】
画面を表示する表示部と、
前記表示部に設けられ、複数の電極を有し、前記複数の電極に含まれる２つの電極間の抵抗値を検出するタッチパネルと、
前記２つの電極間の前記抵抗値と押圧判定閾値とに基づいて、前記タッチパネルが押圧されたか否かを判定し、前記タッチパネルの押圧された押圧位置を検出する押圧位置検出部と、
前記押圧位置検出部によって押圧されたと判定されたときの判定押圧力を検出する押圧力検出部と、
前記押圧位置と前記判定押圧力とを対応付けて記憶する記憶部と、
前記記憶部に記憶されている前記押圧位置と前記判定押圧力とに基づいて、前記押圧位置に対応した前記押圧判定閾値を変更する制御部と
を備え、
前記制御部は、異なる押圧位置それぞれに対応した押圧判定閾値に基づいて前記タッチパネルが押圧されたと判定されたときの、前記異なる押圧位置それぞれに対応付けられた判定押圧力が互いに等しくなるように、前記押圧判定閾値を変更する、入力装置。
【請求項２】
前記記憶部は、前記押圧位置および前記判定押圧力をそれぞれ複数記憶しており、
前記制御部は、前記記憶部に記憶されている前記複数の判定押圧力の平均を示す平均押圧力を算出し、前記平均押圧力に基づいて前記押圧判定閾値を変更する、請求項１に記載の入力装置。
【請求項３】
前記制御部は、前記判定押圧力の大きさに基づいて前記押圧判定閾値の変更量を決定する、請求項１または請求項２に記載の入力装置。
【請求項４】
前記タッチパネルは、複数の領域を有しており、
前記制御部は、前記領域に対応した前記押圧判定閾値を変更する、請求項１から請求項３のいずれか１項に記載の入力装置。
【請求項５】
請求項１から請求項４のいずれか１項に記載の入力装置を備える、電子機器。
【発明の詳細な説明】
【技術分野】
【０００１】
本発明は、入力装置および電子機器に関する。
【背景技術】
【０００２】
従来、画像形成装置（例えば、プリンターまたは複合機）には、タッチパネルを備えた入力装置が搭載されている。ユーザーはタッチパネルを押圧することによって画像形成装置に関する設定または画像形成装置を実行する項目を指定することができる。
【０００３】
タッチパネルにおいて、押圧位置の検知方式の一方式として、抵抗膜検知方式が知られている（例えば、特許文献１）。抵抗膜検知方式では、対向する２枚の抵抗膜のうちの一方の抵抗膜に対して電圧を印加し、押圧位置で２枚の抵抗膜が接触することによって発生した電圧に基づいて押圧位置を検知している。特許文献１に記載のタッチパネルでは、コントローラーが検出する電流の大きさからユーザーによるタッチパネルが押圧されたことを判定し、その後、押圧位置を検出している。
【先行技術文献】
【特許文献】
【０００４】
【特許文献１】特開２００９−２５２２０６号公報
【発明の概要】
【発明が解決しようとする課題】
【０００５】
しかしながら、特許文献１に記載のタッチパネルでは、タッチパネル上の場所によってタッチパネルが押圧されたと判定されるために必要な押圧力にばらつきが生じることがある。特に、タッチパネルの周囲には電極回路が配置されるため、タッチパネルの内側の領域に比べてタッチパネルの外側ほどタッチパネルが押圧されたと判定されるために大きな押圧力が必要となる可能性がある。
【０００６】
本発明は上記課題に鑑みてなされたものであり、その目的は、押圧の判定に必要な押圧力の場所によるばらつきを抑制することができる入力装置および電子機器を提供することにある。
【課題を解決するための手段】
【０００７】
本発明に係る入力装置は、表示部と、タッチパネルと、押圧位置検出部と、押圧力検出部と、記憶部と、制御部とを備える。前記表示部は、画面を表示する。前記タッチパネルは、前記表示部に設けられる。前記タッチパネルは、複数の電極を有する。前記タッチパネルは、前記複数の電極に含まれる２つの電極間の抵抗値を検出する。前記押圧位置検出部は、前記２つの電極間の前記抵抗値と押圧判定閾値とに基づいて、前記タッチパネルが押圧されたか否かを判定する。前記押圧位置検出部は、前記タッチパネルの押圧された押圧位置を検出する。前記押圧力検出部は、前記押圧位置検出部によって押圧されたと判定されたときの判定押圧力を検出する。前記記憶部は、前記押圧位置と前記判定押圧力とを対応付けて記憶する。前記制御部は、前記記憶部に記憶されている前記押圧位置と前記判定押圧力とに基づいて、前記押圧位置に対応した前記押圧判定閾値を変更する。
【０００８】
本発明に係る電子機器は、上記に記載の入力装置を備える。
【発明の効果】
【０００９】
本発明によれば、押圧の判定に必要な押圧力の場所によるばらつきを抑制することができる。
【図面の簡単な説明】
【００１０】
【図１】本発明の実施形態に係る入力装置のブロック図である。
【図２】（ａ）は、本発明の実施形態に係る入力装置のタッチパネルおよび表示部を示す断面図である。（ｂ）は、接触抵抗を示す模式図である。
【図３】（ａ）は、タッチパネルの領域を示す模式図である。（ｂ）は、記憶部に記憶された押圧力データを示す表である。
【図４】（ａ）および（ｂ）は、押圧判定閾値と接触抵抗との関係を示す図である。
【図５】本発明の実施形態に係る入力装置のブロック図である。
【図６】本発明の実施形態に係る入力装置の押圧判定閾値の変更方法を示すフローチャートである。
【図７】本発明の実施形態に係る画像形成装置を示す模式図である。
【発明を実施するための形態】
【００１１】
以下、本発明の実施形態について、図面を参照しながら説明する。なお、図中、同一または相当部分については同一の参照符号を付して説明を繰り返さない。
【００１２】
図１を参照して本発明に係る入力装置１０の実施形態を説明する。図１は、本発明の実施形態に係る入力装置１０のブロック図である。
【００１３】
入力装置１０は、制御部２０と、記憶部３０と、表示部４０と、タッチパネル５０と、押圧位置検出部６０と、押圧力検出部７０とを備える。
【００１４】
表示部４０は、画面を表示する。表示部４０は、例えば、液晶パネルである。
【００１５】
タッチパネル５０は、表示部４０に設けられる。タッチパネル５０は、複数の電極を有する。タッチパネル５０は、複数の電極に含まれる２つの電極間の抵抗値を検出する。
【００１６】
押圧位置検出部６０は、２つの電極間の抵抗値と押圧判定閾値Ｔｈとに基づいて、タッチパネル５０が押圧されたか否かを判定する。押圧判定閾値Ｔｈは、タッチパネル５０が押圧されたか否かを判定するための閾値である。タッチパネル５０の押圧位置Ｐの検知方式は、アナログ抵抗膜検知方式である。具体的には、２つの電極間の抵抗値が、押圧判定閾値Ｔｈ以下である場合に、押圧位置検出部６０は、タッチパネル５０が押圧されたと判定する。一方、２つの電極間の抵抗値が、押圧判定閾値Ｔｈよりも大きい場合に、押圧位置検出部６０は、タッチパネル５０が押圧されていないと判定する。また、押圧位置検出部６０は、押圧位置Ｐで２つの電極が接触することによって発生した電圧に基づいて押圧位置Ｐを検知している。
【００１７】
押圧力検出部７０は、押圧位置検出部６０によって押圧されたと判定されたときの判定押圧力Ｎを検出する。すなわち、押圧力検出部７０は、押圧の判定に必要な押圧力を検出する。押圧力検出部７０は、圧力センサーである。あるいは、押圧力検出部７０は、表面弾性波に基づいて、判定押圧力Ｎを検出してもよい。表面弾性波に基づいて、判定押圧力Ｎを検出する形態については、図５を参照して後述する。
【００１８】
記憶部３０は、押圧位置Ｐと判定押圧力Ｎとを対応付けて記憶する。記憶部３０は、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、二次記憶装置とを含む。二次記憶装置は、例えば、ハードディスクまたはフラッシュメモリーのような不揮発性の記憶装置である。記憶部３０のＲＯＭには、制御部２０によって実行される種々のコンピュータープログラムが記憶される。
【００１９】
制御部２０は、記憶部３０に記憶されている押圧位置Ｐと判定押圧力Ｎとに基づいて、押圧位置Ｐに対応した押圧判定閾値Ｔｈを変更する。制御部２０は、例えばＣＰＵ（Ｃｅｎｔｒａｌ  Ｐｒｏｃｅｓｓｉｎｇ  Ｕｎｉｔ）である。
【００２０】
図１および図２を参照して本発明に係る入力装置１０の実施形態を説明する。図２（ａ）は、本発明の実施形態に係る入力装置１０のタッチパネル５０および表示部４０を示す断面図である。図２（ｂ）は、接触抵抗Ｒｃを示す模式図である。
【００２１】
図２（ａ）に示すように、タッチパネル５０は、上部電極５２ａ、下部電極５２ｂ、絶縁体５４、スペーサー５６およびフィルム５８を有する。
【００２２】
上部電極５２ａおよび下部電極５２ｂは、透明電極膜である。上部電極５２ａおよび下部電極５２ｂは、透光性を有する。上部電極５２ａおよび下部電極５２ｂは、インジウムスズ酸化物（ＩＴＯ：Ｉｎｄｉｕｍ  Ｔｉｎ  Ｏｘｉｄｅ）によって構成される。
【００２３】
上部電極５２ａと下部電極５２ｂとは絶縁体５４およびスペーサー５６を介して、所定間隔を隔てて上下に重ねて配置される。上部電極５２ａの上部には、透光性を有するフィルム５８が配置される。下部電極５２ｂの下部には、表示部４０が配置される。
【００２４】
フィルム５８がユーザーによって押下されると、押圧位置Ｐにおいて上部電極５２ａと下部電極５２ｂとが接触する。上部電極５２ａと下部電極５２ｂとが接触すると、図２（ｂ）に示すように、上部電極５２ａと下部電極５２ｂとの間には接触抵抗Ｒｃが生じる。
【００２５】
タッチパネル５０を押圧する力が大きい場合は、上部電極５２ａと下部電極５２ｂとの接触面積が大きくなるため、接触抵抗Ｒｃは小さくなる。一方、タッチパネル５０を押圧する力が小さい場合は、上部電極５２ａと下部電極５２ｂとの接触面積が小さくなるため、接触抵抗Ｒｃは大きくなる。接触抵抗Ｒｃの値が、押圧判定閾値Ｔｈ以下になると、押圧位置検出部６０は、タッチパネル５０が押圧されたと判定する。押圧位置検出部６０は、タッチパネル５０が押圧されたと判定した際の接触位置を押圧位置Ｐとして検出する。
【００２６】
図１〜図４を参照して本発明に係る入力装置１０の押圧判定閾値Ｔｈの変更について説明する。図３（ａ）は、タッチパネル５０の領域を示す模式図である。図３（ｂ）は、記憶部３０に記憶された押圧力データを示す表である。図４（ａ）および図４（ｂ）は、押圧判定閾値Ｔｈと接触抵抗Ｒｃとの関係を示す図である。
【００２７】
図３（ａ）に示すように、タッチパネル５０は、複数の領域を有する。複数の領域は、領域Ａ、領域Ｂ、領域Ｃ、領域Ｄ、領域Ｅ、領域Ｆ、領域Ｇ、領域Ｈおよび領域Ｉを含む。本実施形態では、タッチパネル５０は、Ｘ軸方向に３分割されており、Ｙ方向に３分割されている。タッチパネル５０は、合計９つの領域に分割されている。領域Ａ〜領域Ｉのそれぞれの大きさは等しい。領域Ａ、領域Ｂ、領域Ｃ、領域Ｄ、領域Ｆ、領域Ｇ、領域Ｈおよび領域Ｉはタッチパネル５０の外側に位置する。領域Ｅは、タッチパネル５０の中央に位置する。
【００２８】
記憶部３０は、図３（ｂ）に示すように、押圧位置Ｐと判定押圧力Ｎとを対応付けて記憶する。具体的には、押圧位置検出部６０によってタッチパネル５０の押圧位置Ｐ１が押圧されたと判定したときの、検出された押圧位置Ｐ１（Ｘ1，Ｙ1）と、判定押圧力Ｎ（０．３１Ｎ）とを検出する。記憶部３０は、さらに、押圧位置Ｐ１（Ｘ1，Ｙ1）が位置する領域Ａを記憶する。
【００２９】
記憶部３０は、押圧位置Ｐおよび判定押圧力Ｎをそれぞれ複数記憶している。押圧位置Ｐおよび判定押圧力Ｎは、データを工場出荷前に取得し、記憶部３０に記憶させてもよい。あるいは、押圧位置Ｐおよび判定押圧力Ｎは、データを定期的に取得し記憶部３０に記憶させてもよい。
【００３０】
一般的に、抵抗膜検知方式のタッチパネルにおいて、タッチパネルの構造上タッチパネルの外側ほどタッチパネルが押圧されたと判定されるために大きな押圧力が必要となる傾向がある。具体的には、タッチパネル５０の外側のＡ領域に位置する押圧位置Ｐ１（Ｘ1，Ｙ1）では、判定押圧力Ｎが０．３１Ｎであるのに対し、タッチパネル５０の中央のＥ領域に位置する押圧位置Ｐ２（Ｘ6，Ｙ6）では、判定押圧力Ｎが０．０５Ｎである。
【００３１】
このように、判定押圧力Ｎ、すなわち押圧の判定に必要な押圧力は、押圧位置Ｐによって異なる。制御部２０は、異なる押圧位置Ｐに対応付けられた判定押圧力Ｎが互いに等しくなるように、押圧判定閾値Ｔｈを変更する。
【００３２】
図４（ａ）および図４（ｂ）を参照して、押圧判定閾値Ｔｈの変更方法について説明する。図４（ａ）は、図３（ａ）に示したタッチパネル５０の領域Ａにおける押圧判定閾値Ｔｈの変更を示す図である。図４（ｂ）は、図３（ａ）に示したタッチパネル５０の領域Ｅにおける押圧判定閾値Ｔｈの変更を示す図である。
【００３３】
図４（ａ）および図４（ｂ）において、縦軸は接触抵抗Ｒｃを示し、接触抵抗値Ｒｃ１、接触抵抗値Ｒｃ２は、タッチパネル５０を押圧していない状態での接触抵抗Ｒｃの値を示す。また、図４（ａ）および図４（ｂ）において、変更前押圧判定閾値Ｔｈａは、変更する前の押圧判定閾値を示し、変更後押圧判定閾値Ｔｈｂは、変更した後の押圧判定閾値を示す。押圧判定閾値Ｔｈの変更前において、図４（ａ）に示した変更前押圧判定閾値Ｔｈａと、図４（ｂ）に示した変更前押圧判定閾値Ｔｈａとは等しい。
【００３４】
図４（ａ）に示すように、タッチパネル５０の領域Ａにおいて、押圧していない状態での接触抵抗値Ｒｃ１は、比較的大きい。したがって、押圧の判定に必要な押圧力Ｎ１、すなわち、接触抵抗Ｒｃを接触抵抗値Ｒｃ１から変更前押圧判定閾値Ｔｈａに変更させるまでに必要な押圧力Ｎ１は、比較的大きい。
【００３５】
一方、図４（ｂ）に示すように、タッチパネル５０の領域Ｅにおいて、押圧していない状態での接触抵抗値Ｒｃ２は、比較的小さい。したがって、押圧の判定に必要な押圧力Ｎ２、すなわち、接触抵抗Ｒｃを接触抵抗値Ｒｃ２から変更前押圧判定閾値Ｔｈａに変更させるまでに必要な押圧力Ｎ２は、比較的小さい。
【００３６】
制御部２０は、異なる押圧位置Ｐに対応付けられた判定押圧力Ｎが互いに等しくなるように、押圧判定閾値Ｔｈを変更する。具体的には、図４（ａ）に示すように、押圧の判定に必要な押圧力Ｎ１が比較的大きい場合、押圧判定閾値Ｔｈを変更前押圧判定閾値Ｔｈａから変更量ｄ１だけ大きくし、押圧判定閾値Ｔｈを変更後押圧判定閾値Ｔｈｂに変更する。したがって、押圧の判定に必要な押圧力Ｎ３は、変更前における押圧の判定に必要な押圧力Ｎ１よりも小さくなる。制御部２０は、判定押圧力Ｎの大きさに基づいて変更量ｄ１を決定し、押圧判定閾値Ｔｈを変更する。
【００３７】
一方、図４（ｂ）に示すように、押圧の判定に必要な押圧力Ｎ２が比較的小さい場合、押圧判定閾値Ｔｈを変更前押圧判定閾値Ｔｈａから変更量ｄ２だけ小さくし、押圧判定閾値Ｔｈを変更後押圧判定閾値Ｔｈｂに変更する。したがって、押圧の判定に必要な押圧力Ｎ４は、変更前における押圧の判定に必要な押圧力Ｎ２よりも大きくなる。制御部２０は、判定押圧力Ｎの大きさに基づいて変更量ｄ２を決定し、押圧判定閾値Ｔｈを変更する。
【００３８】
このように領域Ａ〜領域Ｉのそれぞれに対して、押圧判定閾値Ｔｈが調整されることによって、異なる押圧位置Ｐに対応付けられた判定押圧力Ｎが互いに等しくなる。本実施形態では、押圧力Ｎ３と押圧力Ｎ４とは等しい。
【００３９】
なお、制御部２０は、記憶部３０に記憶されている複数の判定押圧力Ｎの平均を示す平均押圧力を算出することが好ましい。制御部２０は、この平均押圧力に基づいて押圧判定閾値Ｔｈを変更することが好ましい。制御部２０が平均押圧力に基づいて押圧判定閾値Ｔｈを変更することによって、押圧位置Ｐに対応して適切に押圧判定閾値Ｔｈを変更することができる。
【００４０】
以上、図１〜図４を参照して説明したように、入力装置１０において、制御部２０は、記憶部３０に記憶されている押圧位置Ｐと判定押圧力Ｎとに基づいて、押圧位置Ｐに対応した押圧判定閾値Ｔｈを変更する。その結果、押圧の判定に必要な押圧力の場所によるばらつきを抑制することができる。
【００４１】
また、入力装置１０において、制御部２０は、異なる押圧位置Ｐに対応付けられた判定押圧力Ｎが互いに等しくなるように、押圧判定閾値Ｔｈを変更する。したがって、ユーザーは入力装置１０を押圧する際、タッチパネル５０のいずれの場所においても均一な力で押圧が認識されるため、ユーザーの操作における違和感を抑制することができる。
【００４２】
さらに、図５を参照して本発明に係る入力装置１０の実施形態を説明する。図５は、本発明の実施形態に係る入力装置１０のブロック図である。
【００４３】
入力装置１０は、制御部２０と、記憶部３０と、表示部４０と、タッチパネル５０と、押圧位置検出部６０と、押圧力検出部７０とを備える。押圧位置検出部６０は、例えば、タッチパネルコントローラーである。
【００４４】
本実施形態では、押圧力検出部７０は、表面弾性波に基づいて、判定押圧力Ｎを検出する。押圧力検出部７０は、Ｘ発信子７２ａと、Ｙ発信子７２ｂと、Ｘ受信子７４ａと、Ｙ受信子７４ｂとを有する。
【００４５】
Ｘ発信子７２ａは、タッチパネル５０の右下隅に配置され、Ｙ発信子７２ｂは、タッチパネル５０の左上隅に配置され、Ｘ受信子７４ａは、タッチパネル５０の右上隅に配置され、Ｙ受信子７４ｂは、タッチパネル５０の右上隅に配置される。
【００４６】
Ｘ発信子７２ａは、Ｘ軸方向に向けて超音波を表面弾性波として発信する。Ｘ発信子７２ａから発信された表面弾性波は、反射アレイ（図示せず）で反射してタッチパネル５０上に伝搬する。Ｘ受信子７４ａは、反射アレイで反射した表面弾性波を受信する。押圧位置Ｐを通る表面弾性波は強度が低下する。強度の低下量は押圧位置Ｐの押圧力によって定まる値であるため、この強度の低下量から押圧力を検出することができる。
【００４７】
同様に、Ｙ発信子７２ｂは、Ｙ軸方向に向けて超音波を表面弾性波として発信する。Ｙ発信子７２ｂから発信された表面弾性波は、反射アレイ（図示せず）で反射してタッチパネル５０上に伝搬する。Ｙ受信子７４ｂは、反射アレイで反射した表面弾性波を受信する。押圧位置Ｐを通る表面弾性波は強度が低下する。強度の低下量は押圧位置Ｐの押圧力によって定まる値であるため、この強度の低下量から押圧力を検出することができる。
【００４８】
次に、図１および図６を参照して本発明に係る入力装置１０の押圧判定閾値Ｔｈの変更方法について説明する。図６は、本発明の実施形態に係る入力装置１０の押圧判定閾値Ｔｈの変更方法を示すフローチャートである。
【００４９】
ステップＳ１００：制御部２０は、押圧検知Ｒｅａｄｙ状態であるか否かを判定する。押圧検知Ｒｅａｄｙ状態とは、制御部（ＣＰＵ）２０のイニシャライズが完了し、タッチパネル５０が押圧を認識可能な状態になったことを示す。押圧検知Ｒｅａｄｙ状態になると（ステップＳ１００：Ｙｅｓ）、処理はステップＳ１０２に進む。押圧検知Ｒｅａｄｙ状態でない場合（ステップＳ１００：Ｎｏ）、処理は再びステップＳ１００に戻り、押圧検知Ｒｅａｄｙ状態になるまでステップＳ１００の処理を繰り返す。
【００５０】
ステップＳ１０２：ユーザーがタッチパネル５０を押圧することによって、押圧位置検出部６０が押圧位置Ｐを検出する。処理はステップＳ１０４に進む。
【００５１】
ステップＳ１０４：制御部２０は、押圧位置検出部６０が検出した押圧位置Ｐを示す情報を記憶部３０に格納する。処理はステップＳ１０６に進む。
【００５２】
ステップＳ１０６：押圧力検出部７０は、押圧位置検出部６０によって押圧されたと判定されたときの判定押圧力Ｎを検出する。処理はステップＳ１０８に進む。
【００５３】
ステップＳ１０８：制御部２０は、ステップＳ１０４で押圧位置検出部６０が検出した押圧位置Ｐに対応付けて判定押圧力Ｎを示す情報を記憶部３０に格納する。処理はステップＳ１１０に進む。
【００５４】
ステップＳ１１０：制御部２０は、押圧判定閾値Ｔｈを変更するか否かを判定する。制御部２０が、押圧判定閾値Ｔｈを変更すると判定した場合（ステップＳ１１０：Ｙｅｓ）、処理はステップＳ１１２に進む。制御部２０が、押圧判定閾値Ｔｈを変更しないと判定した場合（ステップＳ１１０：Ｎｏ）、処理はステップＳ１１４に進む。
【００５５】
ステップＳ１１２：制御部２０は、記憶部３０に記憶されている押圧位置Ｐと判定押圧力Ｎとに基づいて、押圧位置Ｐに対応した押圧判定閾値Ｔｈを変更する。
【００５６】
ステップＳ１１４：制御部２０は、押圧待ちか否かを判定する。押圧待ちである場合（ステップＳ１１４；Ｙｅｓ）、処理はステップＳ１００に戻る。押圧待ちでない場合（ステップＳ１１４；Ｎｏ）、処理は終了する。
【００５７】
図１および図７を参照して、本発明に係る電子機器の一例として画像形成装置１００を説明する。図７は、本発明の実施形態に係る画像形成装置１００を示す模式図である。画像形成装置１００は、複写機、プリンター、ファクシミリまたはこれらの機能を兼ね備えた複合機であり得る。
【００５８】
画像形成装置１００は、入力装置１０と画像読取部８０と画像形成部９０とを備える。画像形成部９０は、定着装置１１０、給紙カセット１２０、作像部１３０、トナー補給装置１４０、用紙排出部１５０および用紙搬送部１６０を有している。画像形成装置１００は、入力装置１０の入力された情報に基づいて動作する。入力装置１０は、図１を参照して説明した入力装置１０に対応している。入力装置１０の表示部４０は、操作メニューを表示し、入力装置１０のタッチパネル５０が押圧されることによって、ユーザーの指による操作を受け付ける。ユーザーは入力装置１０を押圧する際、タッチパネル５０のいずれの場所においても均一な力で押圧が認識されるため、ユーザーの操作における違和感を抑制することができる。
【００５９】
給紙カセット１２０には、印刷用の用紙Ｓが収容されている。印刷を行う際、給紙カセット１２０内の用紙Ｓは、作像部１３０と定着装置１１０とを経由して用紙排出部１５０から排出されるように、用紙搬送部１６０によって搬送される。
【００６０】
作像部１３０は、トナー像を用紙Ｓに形成する。作像部１３０には、感光体１３１と現像装置１３２と転写装置１３３とが含まれている。
【００６１】
感光体１３１には、例えば、レーザーによって静電潜像が形成される。このレーザーは、画像読取部８０で生成された原稿画像の電子信号に基づいて照射される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００６２】
転写装置１３３は、感光体１３１に形成されたトナー像を用紙Ｓに転写する。
【００６３】
定着装置１１０では、定着部材１１１と加圧部材１１２とによって用紙Ｓを加熱および加圧することで、作像部１３０において形成された未定着のトナー像を溶融させて用紙Ｓに定着させる。
【００６４】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６５】
（１）図１〜図６を参照して説明した入力装置１０では、タッチパネル５０は、９つの領域に分割されていたが、これに限定されない。例えば、タッチパネル５０は、４つの領域または１６個の領域に分割されてもよい。
【００６６】
（２）図１〜図６を参照して説明した入力装置１０では、タッチパネル５０の分割された領域のそれぞれの大きさは等しかったが、これに限定されない。タッチパネル５０の分割された領域のそれぞれの大きさは異なってもよい。
【００６７】
（３）図１〜図６を参照して説明した入力装置１０では、タッチパネル５０の押圧位置Ｐの検知方式は、アナログ抵抗膜検知方式であったが、これに限定されない。例えば、マトリックスタイプの抵抗膜検知方式であってもよい。
【００６８】
（４）図７を参照して、入力装置１０を備える電子機器として画像形成装置を一例として説明したが、入力装置１０を備える電子機器は画像形成装置に限定されない。例えば、入力装置１０を備える電子機器は、スマートフォン、タブレットまたはタッチパネル搭載のパーソナルコンピューターで有りえる。
【符号の説明】
【００６９】
１０        入力装置
２０        制御部
３０        記憶部
４０        表示部
５０        タッチパネル
５２ａ      上部電極（電極）
５２ｂ      下部電極（電極）
６０        押圧位置検出部
７０        押圧力検出部
１００      画像形成装置（電子機器）
Ａ、Ｂ、Ｃ、Ｄ、Ｅ、Ｆ、Ｇ、Ｈ、Ｉ  領域
Ｎ          判定押圧力
Ｐ          押圧位置
Ｔｈ        押圧判定閾値
ｄ１、ｄ２  変更量
【図１】
0006038202.tif 000002
【図２】
0006038202.tif 000003
【図３】
0006038202.tif 000004
【図４】
0006038202.tif 000005
【図５】
0006038202.tif 000006
【図６】
0006038202.tif 000007
【図７】
0006038202.tif 000008